(57)【特許請求の範囲】
【請求項１】
折板受具を跨いで自立して摺動移動可能な摺動台座と、該摺動台座に直立固定された支柱と、該支柱から水平方向に張り出した懸架腕と、該懸架腕に懸架された巻上機と、該巻上機が懸架する屋根材保持具を有し、前記摺動台座は台座移動防止機構を備え、該台座移動防止機構の台座移動防止機能の有効無効は、前記懸架腕に設けた操作レバーで操作可能にして、前記台座移動防止機能を無効したときは、前記懸架腕を押すことで前記摺動台座を移動可能とし、前記台座移動防止機能を有効としたときは、前記摺動台座が前記折板受具に固定されることを特徴とする長尺屋根板設置装置。
【請求項２】
請求項１において、前記懸架腕は、前記支柱に設けられた孔を摺動自在にして押し移動用機構を有し、前記懸架腕を押したときは、前記押し移動用機構を介して、前記支柱と前記摺動台座に押圧力を及ぼすことができることを特徴とする長尺屋根板設置装置。
【請求項３】
請求項２において、前記台座移動防止機能を無効したときは、前記懸架腕を押すことにより、前記押し移動用機構を介して、前記摺動台座を移動可能とし、前記台座移動防止機能を有効としたときは、前記摺動台座が前記折板受具に固定されるとともに、前記懸架腕を引き出すことができることを特徴とする長尺屋根板設置装置。
【請求項４】
請求項１に記載の長尺屋根板設置装置を用いた屋根板施工方法であって、施工済み屋根板上領域の縁に屋根板材を準備し、該施工済み屋根板の領域の縁に隣接して前記折板受具上に前記摺動台座を配置し、前記屋根材保持具と前記巻上機で、前記屋根板材を懸架し、前記操作レバーで台座移動防止機能を無効にした状態で、前記懸架腕を押して前記摺動台座を移動させ、前記摺動台座が前記屋根板材の幅分移動したところで停止し、前記台座移動防止機構を有効とし、前記巻上機を操作して、前記屋根板材の長手方向と幅方向の位置を調整しながら、前記屋根板材を前記折板受具間に設置することを特徴とする屋根板施工方法。
【請求項５】
請求項２又は３に記載の長尺屋根板設置装置を用いた屋根板施工方法であって、施工済み屋根板上領域の縁に屋根板材を準備し、前記施工済み屋根板の領域の縁に隣接して、前記折板受具上に前記摺動台座を配置し、前記操作レバーで前記台座移動防止機能を無効にした状態で、前記懸架腕を押して前記摺動台座を移動させ、前記摺動台座が前記屋根板材の幅分移動したところで停止し、前記台座移動防止機構を有効とし、前記懸架腕を手前に引き出して、前記屋根材保持具と前記巻上機で前記屋根板材を懸架し、前記屋根板材が懸架された状態で、前記懸架腕を押して前記屋根板材を移動させ、前記巻上機を操作して、前記屋根板材の長手方向と幅方向の位置を調整しながら、前記屋根板材を前記折板受具間に設置することを特徴とする屋根板施工方法。
【発明の詳細な説明】
【技術分野】
【０００１】
本発明は、例えば折板屋根材などの、長尺屋根板設置装置及びこれを用いた屋根板施工方法に関する。
【背景技術】
【０００２】
建築物の長尺屋根板材施工では、コイル状に巻かれた金属板材をロール成形機で成型し、所定の長さに切断して長尺屋根板材を形成し、屋根の端から順番に整列させて梁に固定する。
【０００３】
５０ｍ前後若しくはこれ以上の長さの長尺屋根板材の場合は、５〜１０ｍ間隔でこれを支えて移動する。そうすると、１箇所当たりの荷重は２０〜３０ｋｇ程度となる。これらを人手で支えるとなると、足場の悪い屋根上で、中腰で作業するという重労働になるおそれがある。これを回避するために、屋根材の運搬器具と、屋根材の設置器具が開示されている。屋根板材は折板受具間に正確に置かれ、かつ軒先もそろっていなければならない。
【０００４】
運搬方法として、例えば、特許文献１には、ソリ型運搬治具で屋根板材を運搬する折板屋根葺き工法が記載されている。これは、折板を載せた木製ソリを折板屋根上で手押しして滑らせる運搬法である。
【０００５】
また、特許文献２には、ソリ上にスライド機構と吊り上げ機構を備えた、折板運搬装置及びこれを用いた折板屋根材の施工方法が記載されている。該折板運搬装置は折板置き場で折板を吊り上げた後、前記スライド機構を使って折板荷重を前記ソリ上に移動し、重心位置を安定させてから屋根上を移動する。所定の位置では、前記スライド機構で該折板を前方へせり出して、折板受具間に置くようにしている。
【先行技術文献】
【特許文献】
【０００６】
【特許文献１】特開平６−２１２７５７号公報
【特許文献２】特開２００８−２８５９５６号公報
【発明の概要】
【発明が解決しようとする課題】
【０００７】
特許文献１には、屋根上での長尺屋根板材の運搬治具が開示されている。しかし、長尺屋根板材を運搬した後に、如何にして、Ｈ鋼材上に固定した折板受具間に折板を正確に設置するのかという課題が残る。運搬後に、高さ１ｍ足らずのところから急激に落とすと、折板が歪んでしまったり、傷ついてしまったりすることがある。また、置かれた折板同士は軒先できちんそろえられている必要があり、不ぞろいに置かれてしまった折板を人手で少し持ち上げては調整してそろえるのは重労働である。このように、長尺屋根板材を運搬した後に、正確にゆっくりと降ろすという課題があった。
【０００８】
特許文献２に記載の折板屋根材の運搬装置は、折板の移動後に、該折板を所定の位置に置く機構を備えている。同装置は施工済みの屋根上に置かれ、折板屋根材を設置する場所と作業者の間に割り込む配置をとる。このように、施工済み屋根の上に装置が占めるデッドスペースが生じるという課題があった。また、折板を置く位置から離れて操作する為、微調整しながら置くのに不利であるという課題があった。
【０００９】
そこで、本発明は、折板の運搬後に、例えば、折板受具間などの所定の位置に、正確に置くことができる、長尺屋根板設置装置及び、これを用いた屋根板施工方法を提供することを目的とする。
【課題を解決するための手段】
【００１０】
そこで、発明者は、上記課題を解決すべく、鋭意，研究を重ねた結果、請求項１の発明を、折板受具を跨いで自立して摺動移動可能な摺動台座と、該摺動台座に直立固定された支柱と、該支柱から水平方向に張り出した懸架腕と、該懸架腕に懸架された巻上機と、該巻上機が懸架する屋根材保持具を有し、前記摺動台座は台座移動防止機構を備え、該台座移動防止機構の台座移動防止機能の有効無効は、前記懸架腕に設けた操作レバーで操作可能にして、前記台座移動防止機能を無効したときは、前記懸架腕を押すことで前記摺動台座を移動可能とし、前記台座移動防止機能を有効としたときは、前記摺動台座が前記折板受具に固定されることを特徴とする長尺屋根板設置装置としたことにより、前記課題を解決した。
【００１１】
請求項２の発明を、請求項１において、前記懸架腕は、前記支柱に設けられた孔を摺動自在にして押し移動用機構を有し、前記懸架腕を押したときは、前記押し移動用機構を介して、前記支柱と前記摺動台座に押圧力を及ぼすことができることを特徴とする長尺屋根板設置装置としたことにより、前記課題を解決した。
【００１２】
請求項３の発明を、請求項２において、前記台座移動防止機能を無効したときは、前記懸架腕を押すことにより、前記押し移動用機構を介して、前記摺動台座を移動可能とし、前記台座移動防止機能を有効としたときは、前記摺動台座が前記折板受具に固定されるとともに、前記懸架腕を引き出すことができることを特徴とする長尺屋根板設置装置としたことにより、前記課題を解決した。
【００１３】
請求項４の発明を、請求項１に記載の長尺屋根板設置装置を用いた屋根板施工方法であって、施工済み屋根板上領域の縁に屋根板材を準備し、該施工済み屋根板の領域の縁に隣接して前記折板受具上に前記摺動台座を配置し、前記屋根材保持具と前記巻上機で、前記屋根板材を懸架し、前記操作レバーで台座移動防止機能を無効にした状態で、前記懸架腕を押して前記摺動台座を移動させ、前記摺動台座が前記屋根板材の幅分移動したところで停止し、前記台座移動防止機構を有効とし、前記巻上機を操作して、前記屋根板材の長手方向と幅方向の位置を調整しながら、前記屋根板材を前記折板受具間に設置することを特徴とする屋根板施工方法としたことにより、前記課題を解決した。
【００１４】
請求項５の発明を、請求項２又は３に記載の長尺屋根板設置装置を用いた屋根板施工方法であって、施工済み屋根板上領域の縁に屋根板材を準備し、前記施工済み屋根板の領域の縁に隣接して、前記折板受具上に前記摺動台座を配置し、前記操作レバーで前記台座移動防止機能を無効にした状態で、前記懸架腕を押して前記摺動台座を移動させ、前記摺動台座が前記屋根板材の幅分移動したところで停止し、前記台座移動防止機構を有効とし、前記懸架腕を手前に引き出して、前記屋根材保持具と前記巻上機で前記屋根板材を懸架し、前記屋根板材が懸架された状態で、前記懸架腕を押して前記屋根板材を移動させ、前記巻上機を操作して、前記屋根板材の長手方向と幅方向の位置を調整しながら、前記屋根板材を前記折板受具間に設置することを特徴とする屋根板施工方法としたことにより、前記課題を解決した。
【発明の効果】
【００１６】
請求項１の発明には、長尺屋根板設置装置は折板受具上を跨いで置かれているので、施工済み屋根上にデッドスペースを作らずに配置できる効果がある。更に、設置される屋根板材と作業者の間に装置等が入らないので、該屋根板材を正確に設置しやすいという効果がある。さらに、前記摺動台座の移動を防止する台座移動防止機構により、不用意に前記摺動台座が移動しないので、安全に正確に屋根板材を設置しやすいという効果がある。また、前記台座移動防止機構の操作は、懸架腕に設けた操作レバーで操作可能なので、作業者が未施工屋根の領域へ立ち入る必要が無く、転落事故を防止できるという効果がある。
【００１７】
また、請求項２の発明には、作業者が施工済みの屋根上から前記懸架腕を押して、前記摺動台座を移動できるので、未施工屋根の領域へ立ち入る必要が無く、転落事故を防止できるという効果がある。
【００１８】
また、請求項３の発明には、前記摺動台座の移動を防止する台座移動防止機構により、不用意に前記摺動台座が移動しないので、安全に正確に屋根板材を設置しやすいという効果がある。また、施工済み屋根上まで前記懸架腕を引き出して、屋根板材の懸架作業ができるので安全に作業ができるという効果がある。
【００１９】
また、請求項４の発明には、前記巻き上げ機に懸架された屋根板材を、設置すべき位置の上方へ移動した後は、前記巻上機を操作して、該屋根板材の長手方向及び幅方向の位置を微調整しながら、ゆっくりと、正確に置くことができるという効果がある。また、前記巻上機で上下移動するので、人手で前記屋根板材を上げ下げするという重労働から解放されるという効果がある。
【００２０】
また、請求項５の発明によれば、前記摺動台座は屋根板材を懸架せずに移動するので、前記摺動台座同士の移動タイミングを図る必要が無く、特に多数の装置を必要とする、長い屋根板材の施工に有利であるという効果がある。
【図面の簡単な説明】
【００２２】
【図１】は本発明の長尺屋根板設置装置例の斜視図を示す図である。
【図２】（Ａ）は本発明の、長尺屋根板設置装置例の側面図、（Ｂ）は同長尺屋根板設置装置の正面図、（Ｃ）は摺動台座正面の拡大図、（Ｄ）は摺動台座を固定した後に、長尺屋根板材を所望の位置に設置作業している図である。
【図３】は本発明に長尺屋根板設置装置の重量バランスの条件を説明する図である。
【図４】（Ａ）は、本発明の第１実施形態に係る長尺屋根板設置装置を用いた屋根板施工方法において、屋根材保持具に折板を懸架した図、（Ｂ）は折板を懸架しながら、摺動台座を摺動させた図、（Ｃ）は折板受具間に折板を設置している図である。
【図５】（Ａ）は折板の長手方向を左右に見たときの、軒先をそろえながらの折板設置作業の図であって、（Ｂ）は同図（α）領域拡大図、（Ｃ）は同図（β）領域拡大図である。
【図６】は第１実施形態に係る長尺屋根板設置装置による屋根板施工フローの図である。
【図７】（Ａ）は本発明の長尺屋根板設置装置の第２実施形態であって、施工済み折板の縁に隣接している長尺屋根板設置装置の図、（Ｂ）は摺動懸架腕を押している図、（Ｃ）は摺動懸架腕を引き出している図である。
【図８】（Ａ）は、本発明の長尺屋根板設置装置の第２実施形態を用いた屋根板施工方法において、屋根材握持具に折板を懸架した図、（Ｂ）は折板を懸架しながら、摺動懸架腕を押している図、（Ｃ）は折板を所望の位置に設置している図である。
【図９】は第２実施形態に係る長尺屋根板設置装置による屋根板施工フローの図である。
【発明を実施するための形態】
【００２３】
本発明の長尺屋根板材設置装置２の構成例を図１と図２（Ａ）、（Ｂ）、（Ｃ）に基づいて説明する。該長尺屋根板材設置装置２は、摺動台座２１と、支柱２２と、懸架腕２３と、巻上機３と、屋根材保持具４を主要部材として構成される。巻上機３は懸架ワイヤ３１で懸架腕２３に懸架され、屋根材保持具４は懸架ワイヤ３２で巻上機３に懸架される。設置すべき屋根板材５、例えば折板５１は、屋根材保持具４に設けられた掴持部４２で掴持される。懸架された折板５１の上下方向の動きは巻上機３の巻上げ動作と巻き戻し動作による。そしてＨ型鋼材１の方向への移動は、摺動台座２１の摺動動作による。
【００２４】
図２（Ｃ）は、摺動台座２１の正面拡大図である。同図に示すように、摺動台座２１は、折板受具１１に載る跨り部２１２と、その両側に台座側部２１１が設けられている。そして、断面形状は略コ字型の台座である。折板受具１１はＨ型鋼材１の上面に一定間隔で溶接若しくはボルト締めで固定されている。そして、摺動台座２１は、両台座側部２１１が折板受具１１を挟むようにして配置にして、Ｈ鋼材１からは、おおよそ浮いた状態で自立している。折板受具１１の側部と、台座側部２１１の間には若干の遊び空間があり、摺動を妨げないものの、Ｈ型鋼材１方向に垂直な方向、すなわち、折板５１を葺いた時の長手方向へのがたつきは最小に抑えられている。
【００２５】
摺動台座２１の跨り部２１２の摺動面には、合成樹脂版２１３を貼り付けることができる。これは、折板受具１１の天端に傷が付くことを防止すると共に、摺動台座２１が摺動する際の抵抗を軽減している。本発明の長尺屋根板材設置装置２の第１実施形態では、支柱２２は摺動台座２１に固定されていて、懸架腕２３は支柱２２に固定されている。そして、折板５１を、屋根材保持具４を介して懸架した状態で、摺動台座２１をＨ型鋼材１の方向に摺動するために、懸架腕２３を作業者が手押しすることによって行う。
【００２６】
摺動台座２１にはストッパピン２４１を設けることができる。ストッパピン２４１は両台座側部２１１に設けられた孔を貫通するピンで、抜差し自在に設けられていて、ばね（図示せず）により、ストッパピン２４１が前記孔を貫通するように付勢されている。貫通するストッパピン２４１は折板受具１１に当たることにより、摺動台座２１の摺動移動が防止される。ストッパピン２４１の抜差しは、操作用ワイヤ２６を介して、操作レバー２５で操作することができる。操作レバー２５を手放せば、前記ばねの付勢により、ストッパピン２４１は前記孔を貫通して、摺動台座２１の摺動移動は防止される。作業者が操作レバー２５を握るとストッパピン２４１が前記孔から引き抜かれ、摺動台座２１は摺動移動可能となる。操作レバー２５から手が離れると、再びストップピン２４により移動が防止される。
【００２７】
当実施形態において、ストッパピン２４１は、自転車のブレーキパットを押し付ける仕組みを利用して実現した。しかしこれに限るものでなく、操作レバー２５の操作で、摺動台座２１の移動を防止する機能を作用させたり解除したりすることができる機構であればよい。この機構を台座移動防止機構２４と呼ぶこととする。
【００２８】
懸架された折板５１の上下移動は巻上機３の操作による。巻上機３は手動式でも良いし電動式でも良い。また、電動動力を備えていない巻上機でも、巻上げ軸に電動インパクトドライバと噛合わせて、該電動インパクトドライバの動力を利用して、巻上機３を動作させても良い。
【００２９】
本発明の長尺屋根板材設置装置２は、軽量に構成した方が、屋根上での扱い、特に折板受具１１を跨いで行う摺動動作は容易になる。ところで、厚さ０．８ｍｍの鉄板からなる長尺屋根板材は、７〜８ｍ間隔で懸架すると、各懸架装置には３０ｋｇ前後の荷重が掛かる。そこで、本発明の長尺屋根板材設置装置２は、この折板荷重が懸架腕２３に掛かる事を想定して構成する必要がある。特に、摺動台座２１はある程度の重量を必要とする。
【００３０】
図３は、本発明の長尺屋根板材設置装置２に掛かる荷重と重心の位置関係を示した図である。上記したように、摺動台座２１はある程度の重量を要する一方で、支柱２２と懸架腕２３は必要な強度を満たせば軽い方が良い。このため、例えば、支柱２２と懸架腕２３は軽く構成し、摺動台座２１は略均質な重量で構成したとすると、長尺屋根板材設置装置２自体の重心位置は摺動台座２１のほぼ中央のＧ１になる。そして、このＧ１に荷重Ｗ１が掛かっているとすることができる。これに、折板荷重Ｗ２を懸架すると、折板５１の中央部Ｇ２に折板荷重Ｗ２が掛かる。
【００３１】
そうすると、折板５１を懸架した長尺屋根板材設置装置２の重心は、例えば、Ｇ３に移動し、ここに全荷重Ｗ１＋Ｗ２が掛かる。このとき重心Ｇ３が、摺動台座２１下から外れないように、懸架腕２３に懸架する懸架ワイヤ３１の位置を設計することと、摺動台座２１の重量を重くする必要がある。
【００３２】
摺動台座２１の重量が不足していると、全荷重Ｗ１＋Ｗ２についての重心Ｇ３の位置が、該摺動台座２１から右側に外れて、時計回りに転倒させるモーメントが作用する。
【００３３】
次に、本発明の第１実施形態に係る長尺屋根設置装置２を使った屋根板施工方法を説明する。図４は、第１実施形態に係る長尺屋根設置装置２を使った長尺屋根板施工方法を説明する図である。図４（Ａ）では、右側に３枚の屋根板５２が施工済みであるとする。折板仮置き台６上には次に施工すべき折板５１が仮置きしてある。第１実施形態に係る長尺屋根板設置装置２は、未だむき出しになっている折板受具１１を跨いで、施工済み屋根板５２に隣接して配置してある。そして、懸架腕２３は、施工済み屋根板５２の上方に張り出している。懸架腕２３に懸架されている屋根材保持具４で折板５１を掴持する。これは、施工済み屋根板５２上の作業である。
【００３４】
次いで、巻上機３で適宜巻上げて折板５１を折板仮置き台６から浮かせる。そして、図４（Ｂ）に示すように、操作レバー２５を握りながら、懸架腕２３を前方に押す。同図においては、左方向に押すことになる。操作レバー２５を握ることにより、ストッパピン２４１が摺動台座２１の孔から引き抜かれて摺動可能となっているから、摺動台座２１が前方に移動する。折板５１の幅分移動したところで、操作レバー２５を離すと、ストッパピン２４１が前記孔に挿入され、摺動台座２１、すなわち長尺屋根板設置装置の位置が固定される。
【００３５】
ここで、摺動台座２１と施工済み屋根板５２の間に、折板１枚分幅の隙間が空いている状態となる。そこで、同図（Ｃ）に示すように、巻上機３を操作して、適当な速度で折板５１を折板受具１１上へ降ろす。折板５１は懸架ワイヤ３１と３２を介して懸架されているため、降ろしながら、幅方向及び長手方向に若干の調整移動をさせることが可能である。このように調整移動しながら降ろすので、軒先の折板をそろえて配置することが容易になるという効果がある。
【００３６】
新たに施工した屋根板上に次の折板５１を用意する。屋根上の所望の位置への折板の移動は、特許文献１に開示のソリ型運搬治具を用いるほか、多数のローラー付台車で運んでも良いし、無限軌条付の台車で運んでも良いし、レール上を移動する台車で運んでも良い。折板５１が施工済み屋根板５２の縁に用意されたなら、図４（Ａ）〜（Ｃ）に示す手順で作業すれば、長尺屋根板を施工することができる。
【００３７】
図５は折板の長手方向を左右に見たときの、折板設置作業の図である。複数の長尺屋根板設置装置２によって懸架された折板５１は、巻上機３を操作することにより、ゆっくりと降ろすことが可能で、長手方向にも数ミリメートル調整移動しなから降ろすことができる。これにより、軒先の折板を容易にそろえることができる。
【００３８】
図６は、上記に説明した、本発明の第１実施形態に係る長尺屋根板設置装置による、折板５１などの屋根板材５の施工フローである。図６において、施工済み屋根板５２上領域の縁に屋根板材５を準備する（ｓｔｅｐ  ａ１）。
【００３９】
次に、施工済み屋根板５２の領域の縁に隣接して、折板受具１１上に摺動台座２１を配置する。若しくは、既に配置している（ｓｔｅｐ  ａ２）。そして、屋根材保持具４と巻上機３で、屋根板材５を懸架する（ｓｔｅｐ  ａ３）。
【００４０】
操作レバー２５で台座移動防止機能を無効にした状態で、懸架腕２３を押して、摺動台座２１を移動させる（ｓｔｅｐ  ａ４）。摺動台座２１が、屋根板材５の幅分移動したところで停止し、台座移動防止機構を有効にする（ｓｔｅｐ  ａ５）。
【００４１】
次いで、巻上機３を操作して、長手方向と幅方向の位置を調整しながら、屋根板材５を折板受具１１間の所定の位置に設置する。そして、屋根板材５を折板受具１１に固定する（ｓｔｅｐ  ａ６）。以上の施工フローにより、屋根板材１枚が施工される。
【００４２】
本発明の第１実施形態に係る長尺屋根板設置装置を用いると、折板５１を人力で持ち上げて所定の位置に降ろすという重労働が不要になるという効果がある。また、巻上機３を使って折板の上下移動ができるので、ゆっくりと降ろすことも可能で、軒先がそろうように長手方向の調整を加えながら、折板５１を設置することができるという効果がある。また、施工する折板５１と作業者の間には一切の装置が入らないため、設置位置の調整が精度良く行えるという効果がある。
【００４３】
また、巻上機３の動力に電動インパクトドライバを適用することにより、同装置の電源を特に用意する必要がないという効果がある。また、摺動台座２１のストッパピン２４１の抜差しは、操作用ワイヤ２６を介して、懸架腕２３に設けた操作レバー２５で行えるため、作業者は屋根が未施工のＨ型鋼材上に立ち入ることが無く安全に作業できるという効果がある。
【００４４】
本発明の第１実施形態に係る長尺屋根板設置装置は、摺動台座２１に支柱２２を固定し、該支柱２２に懸架腕２３を固定した構造にして、未施工のＨ型鋼材１及び折板受具１１上に在って、施工済み屋根という安全な作業空間を無駄に占めることが無いという効果がある。また、巻上機３を使って折板を適切な速度で降ろすことが可能で、落とし込みによる折板歪を防止できる効果がある。また、摺動台座２１の跨り部２１２の摺動面に合成樹脂版２１３が貼り付けられると、摺動によって、折板受具１１に傷が付かないという効果がある。
【００４５】
次に、本発明の長尺屋根板設置装置の第２実施形態を説明する。第２実施形態に係る長尺屋根板設置装置は図７（Ａ）に示す。該長尺屋根板材設置装置２は、摺動台座２１と、支柱２２と、摺動懸架腕２７と、巻上機３と、屋根材保持具４を主要部材として構成される。巻上機３は懸架ワイヤ３１で摺動懸架腕２７に懸架され、屋根材保持具４は懸架ワイヤ３２で巻上機３に懸架される。設置すべき長尺屋根、例えば折板５１は、屋根材保持具４に設けられた掴持部４２で掴持される。折板５１の上下方向の動きは巻上機３の巻上げ動作と巻き戻し動作による。Ｈ型鋼材１の方向への移動は、摺動台座２１の摺動動作による。
【００４６】
摺動懸架腕２７は、第１実施形態に係る懸架腕２３よりもおおよそ、折板幅分だけ長く構成されている。懸架腕２７は支柱２２に対して直交を保ちながらも、水平方向に摺動して可動である。そして摺動懸架腕２７の、懸架ワイヤ３１の無い方の端部には抜け防止機構２７２が設けられている。更に、該抜け防止機構２７２から、およそ、折板幅分内側に、押し移動用機構２７１が設けられている。
【００４７】
上記の通り、操作レバー２５を握ると、ストッパピン２４１の作用で、摺動台座の摺動移動は防止され、操作レバー２５を離すと、摺動台座は折板受具１１上を摺動移動可能となる。ここで、図７（Ａ）において、摺動懸架腕２７を左方へ押すと、押し移動用機構２７１が支柱２２に当接してこれを押す。このとき、操作レバー２５を握っていれば、摺動台座２１を含めて、長尺屋根板設置装置２全体を左方へ移動させることができる。次いで、操作レバー２５を離して右方へ引くと、摺動台座２１と支柱２２はその場に固定されているので、摺動懸架腕２７のみが右方へ移動する。摺動懸架腕２７の左端には抜け防止機構２７２が設けられているため、およそ折板幅分引き出したところで止まる。
【００４８】
当実施形態において、ストッパピン２４１は、自転車のブレーキパットを押し付ける仕組みを利用して実現した。しかしこれに限るものでなく、操作レバー２５の操作で摺動台座２１の移動を防止する機能を作用させたり解除したりすることができる機構、すなわち、台座移動防止機構２４を適用できる。
【００４９】
本発明の第２実施形態の長尺屋根板設置装置も、第１実施形態と同様に、重心位置が、摺動台座２１から外れないように、該摺動台座２１に重量を確保する必要がある。第２実施形態は、摺動懸架腕２７が、第１実施形態のそれよりも、折板５１の幅分長く張り出している。そのため、懸架された折板５１の重量により、重心位置も摺動台座２１から外れやすくなる。このため、第２実施形態においては、第１実施形態よりも更に、摺動台座２１の重量を増す必要がある。
【００５０】
図７（Ａ）〜（Ｃ）と図８（Ａ）〜（Ｃ）に基づいて、第２実施形態に係る長尺屋根板設置装置による屋根板施工方法を説明する。図７（Ａ）において、該長尺屋根板設置装置２は、未だむき出しになっている折板受具１１を跨いで、施工済み屋根板５２に隣接して配置してある。
【００５１】
ここで同図（Ｂ）に示すように操作レバー２５を握って、摺動懸架腕２７を左方向、すなわち、未だ施工されていない領域側へ押す。すると、押し移動用機構２７１が支柱２２を押すので、長尺屋根板設置装置２は左方へ移動する。折板５１の幅分移動したところで操作レバー２５を離すと、ストッパピン２４１の作用で、摺動台座２１は固定される。
【００５２】
次いで同図（Ｃ）に示すように、操作レバー２５を離した状態で摺動懸架腕２７を右方向、すなわち、施工済み屋根板５２の領域側に引き出す。摺動懸架腕２７の左端の、抜け防止機構２７２のために、およそ折板幅分引き出したところで止まる。以上の動作により、摺動台座２１と施工済み屋根板５２の縁との間に、折板５１の幅分の間隔が空く。そして、引出し動作により、摺動懸架腕２７に懸架された屋根材保持具４は、これから設置すべき折板５１の上にある。これは、施工済み屋根板５２上に準備されていたものである。
【００５３】
図８（Ａ）に示すように、折板５１を屋根材保持具４で掴持する。そして、巻上機３により、適宜高さに巻上げる。次いで同図（Ｂ）に示すように、操作レバー２５を握らずに摺動懸架腕２７を押す。すると、摺動懸架腕２７は、押し移動用機構２７１が支柱２２に当接するまで移動する。同時に、懸架された折板５１も移動し、施工すべき折板受具１１間の上に位置することとなる。
【００５４】
そこで同図（Ｃ）に示すように、巻上機３を操作して、適当な速度で折板５１を降ろす。折板５１は懸架ワイヤ３１と３２を介して懸架されているため、降ろしながら、幅方向及び長手方向に若干の調整移動をさせることが可能である。このように調整移動しながら降ろすので、軒先の折板をそろえて配置することが容易になるという効果がある。また、ゆっくりと降ろすことができるので、折板受具１１に激しく当たって、折板５１が歪むことを防止できる。以上説明した方法により、施工済み屋根板５２が一枚増え、長尺屋根板設置装置２は、未だむき出しになっている折板受具１１を跨いで、施工済み屋根板５２に隣接して配置している。これは図７（Ａ）の状態である。以後これらの作業を繰り返すことで、屋根板を施工することができる。
【００５５】
本実施形態では、押し移動用機構２７１を摺動懸架腕２７に設けた突起として実現した。しかし、これはこの構成に限るものでなく、摺動懸架腕２７が支柱２２に開けた孔を摺動移動するのを防止して、支柱２２を押す機能があればよい。また、本実施形態では、抜け防止機構２７２を摺動懸架腕２７の端部に設けた突起として実現した。しかし、これはこの構成に限るものでなく、摺動懸架腕２７が支柱２２に設けた孔から抜けることを防止する機能があればよい。
【００５６】
図９は、上記に説明した、本発明の第２実施形態に係る長尺屋根板設置装置による、折板５１などの屋根板材５の施工フローである。図９において、施工済み屋根板５２上領域の縁に屋根板材５を準備する（ｓｔｅｐ  ｂ１）。
【００５７】
次に、施工済み屋根板５２の領域の縁に隣接して、折板受具１１上に摺動台座２１を配置する。若しくは、既に配置している（ｓｔｅｐ  ｂ２）。ここで、操作レバー２５で、台座移動防止機能を無効にした状態で、摺動懸架腕２７を押して、摺動台座２１を移動させる（ｓｔｅｐ  ｂ３）。摺動台座２１が、屋根板材５の幅分移動したところで停止し、台座移動防止機構を有効にする（ｓｔｅｐ  ｂ４）。
【００５８】
次に、摺動懸架腕２７を手前に、屋根板材５の幅分引き出す（ｓｔｅｐ  ｂ５）。そして、屋根材保持具４と巻上機３で、屋根板材５を懸架する（ｓｔｅｐ  ｂ６）。その後、屋根板材５が懸架された状態で、摺動懸架腕２７を押して、屋根板材５を移動させる（ｓｔｅｐ  ｂ７）。
【００５９】
次いで、巻上機３を操作して、長手方向と幅方向の位置を調整しながら、屋根板材５を折板受具１１間の所定の位置に設置する。そして、屋根板材５を折板受具１１に固定する（ｓｔｅｐ  ｂ８）。以上の施工フローにより、屋根板材１枚が施工される。
【００６０】
本発明の第２実施形態に係る長尺屋根板設置装置を用いると、折板５１を人力で持ち上げて所定の位置に降ろすという重労働が不要になるという効果がある。また、巻上機３を使って折板の上下移動ができるので、ゆっくりと降ろすことも可能で、軒先がそろうように長手方向の調整を加えながら、折板５１を設置することができるという効果がある。また、施工する折板５１と作業者の間には一切の装置が入らないため、設置位置の調整が制度良く行えるという効果がある。
【００６１】
また、摺動台座２１のストッパピン２４１の抜差しは、操作用ワイヤ２６を介して、懸架腕２３に設けた操作レバー２５で行えるため、作業者は屋根が未施工のＨ型鋼材上に立ち入ることが無く安全に作業できるという効果がある。
【００６２】
本発明の第２実施形態に係る長尺屋根板設置装置は、摺動台座２１に支柱２２を固定し、該支柱２２に懸架腕２３を固定した構造にして、未施工のＨ型鋼材１及び折板受具１１上に在って、施工済み屋根という安全な作業空間を無駄に占めることが無いという効果がある。また、巻上機３を使って折板を適切な速度で降ろすことが可能で、落とし込みによる折板歪を防止できる効果がある。
【００６３】
長大な屋根板を施工する場合は、屋根板材の長手方向に７〜８ｍ間隔ごとに、１０台前後の長尺屋根板設置装置２が必要である。ここで、本発明の第２実施形態に係る長尺屋根設置装置は、施工フロー（ｓｔｅｐ  ｂ３）に示すように、屋根板材５を懸架する前に摺動台座２１を移動させる。これは、前記１０台前後の長尺屋根設置装置の摺動台座２１同士を、非同期に個別に移動させることができることを意味する。このことから、第２実施形態に係る長尺屋根板設置装置は、特に、多数の装置を必要とする、長大屋根板材を施工する際に扱いやすいという効果がある。
【符号の説明】
【００６４】
１…Ｈ型鋼材、１１…折板受具、２…長尺屋根板材設置装置、２１…摺動台座、
２１１…台座側部、２１２…跨り部、２１２ａ…摺動面、２１３…合成樹脂版、
２２…支柱、２３…懸架腕、２４…台座移動防止機構、２４１…ストッパピン、
２５…操作レバー、２６…操作用ワイヤ、２７…摺動懸架腕、２７１…押し移動用機構、
２７２…抜け防止機構、３…巻上機、３１，３２…懸架ワイヤ、４…屋根材保持具、
４１…保持具フレーム、４２…掴持部、５…屋根板材、５１…折板、
５２…施工済み屋根板、６…折板仮置き台。
【図１】
0006571399.tif 000002
【図２】
0006571399.tif 000003
【図３】
0006571399.tif 000004
【図４】
0006571399.tif 000005
【図５】
0006571399.tif 000006
【図６】
0006571399.tif 000007
【図７】
0006571399.tif 000008
【図８】
0006571399.tif 000009
【図９】
0006571399.tif 000010